(57)【特許請求の範囲】
【請求項１】
遊技盤の遊技部に取り付けられる基板の前面には、左右の入賞空間と、左右の入賞空間の上方及び側方並びに下方を覆う左右のガイド壁と、左右の可動部材とが設けられ、左右のガイド壁が遊技盤の遊技部から取り込んだ球を遊技盤の遊技部に排出する間隔で左右に離れて基板から突出され、左右のガイド壁における間隔の側に位置する開放側には左右の可動部材が下端側を回転中心として間隔の側とガイド壁の側とに開閉する形態で開閉可能に基板に取り付けられ、基板の裏面側には左右の電気的駆動源と左右のリンク機構とが設けられ、左の電気的駆動源と左の可動部材とが左のリンク機構で連結され、右の電気的駆動源と右の可動部材とが右のリンク機構で連結され、左右の可動部材が左右のガイド壁の開放側を個別に閉じて起立すると、左右の可動部材が左右の入賞空間を閉止し、遊技盤の遊技部から左右の可動部材の間隔における基板の前面に取り込まれた球が左右の入賞空間に取り込まれることなく遊技盤の遊技部に排出され、所定の条件が成立すると、一方の電気的駆動源が駆動して一方の可動部材が一方のガイド壁の側から間隔の側に傾動して当該ガイド壁の開放側を所定時間開放し、他方の可動部材が他方のガイド壁の開放側を閉じて起立している状態において、左右のガイド壁の間隔から一方の可動部材に対応する入賞空間に球が取り込まれることを特徴とする電動入賞装置。
【請求項２】
前記各入賞空間には、入賞した球を検出する始動検出スイッチを設け、一方の可動部材の傾動中の入賞数を記憶し、この入賞数による記憶数に基づいた数だけ他方の可動部材を繰り返し傾動して他方の入賞空間を繰り返し所定時間開放することを特徴とする請求項１記載の電動入賞装置。
【発明の詳細な説明】
【０００１】
【産業上の利用分野】
この発明は、パチンコ機に用いる電動入賞装置に関し、特に、コンパクトに形成すると共に遊技盤上への配置を考慮し、打球の入賞効率の良いパチンコ機を提供可能な電動入賞装置に関するものである。
【０００２】
【従来の技術】
一般に、パチンコ機には種々の規制があり、一般遊技機においても、電動役物とか電動チューリップと呼ばれる電動入賞装置の数は現状では４個までに制限されている。そこで、従来のパチンコ機にあっては、最大限に電動役物を設けて、最大限の入賞を得ようとしている。しかし、遊技盤には、当該電動役物の他に、表示装置や始動口、風車、入賞口等の他の部品が多数配設されており、その配置に苦慮しているのが現状である。
例えば、盤面の右側に電動役物を３個配置すると共に、左側に１個配設したものがある。このような配置によると、所定の条件が成立して上記電動役物が開放した場合には、右打ちをしなければならないので、無駄打ちが多くなると共に、左側の電動役物は無意味なものとなってしまう。また、盤面の配置を左右対称に構成できないので設計等に時間が掛かる。
一方、特開平４−３１４４７５号公報にみられるように、電動役物を左右に配置したものにあっては、打球の方向を定め難い。そして、左右２つの電動入賞装置が必要であり、そのための釘配列も必要になる。
【０００３】
【発明が解決しようとする課題】
即ち、従来の電動入賞装置にあっては、遊技部の場所を占有してしまうし、出玉を多くするためには、電動入賞装置の数を増す必要があり、このため、遊技部の片側に電動入賞装置を複数配置している。従って、電動入賞装置が開放した場合には、電動入賞装置が偏在する側へ打球を集中する必要があるので、例えば右打ちをしなければならず、無駄打ちが多くなる。しかも、左側に配置した電動入賞装置は、意味のないものとなってしまう。
また、遊技盤面の設計が左右対称にならないので、設計に時間が掛かってしまう。しかも、特開平４−３１４４７５号公報にみられるような場合には、電動入賞装置が左右に分れて配置してあるので、打球の方向を定め難い。しかも、左右の電動入賞装置のための釘配列も必要である。
本発明は上記に鑑み提案されたもので、一つの基板上に異る動作が可能な複数の電動役物を形成し、コンパクトで入賞効率のよい電動入賞装置を提供することを目的とする。
【０００４】
【課題を解決するための手段】
上記目的を達成するため本発明は、遊技盤の遊技部に取り付けられる基板の前面には、左右の入賞空間と、左右の入賞空間の上方及び側方並びに下方を覆う左右のガイド壁と、左右の可動部材とが設けられ、左右のガイド壁が遊技盤の遊技部から取り込んだ球を遊技盤の遊技部に排出する間隔で左右に離れて基板から突出され、左右のガイド壁における間隔の側に位置する開放側には左右の可動部材が下端側を回転中心として間隔の側とガイド壁の側とに開閉する形態で開閉可能に基板に取り付けられ、基板の裏面側には左右の電気的駆動源と左右のリンク機構とが設けられ、左の電気的駆動源と左の可動部材とが左のリンク機構で連結され、右の電気的駆動源と右の可動部材とが右のリンク機構で連結され、左右の可動部材が左右のガイド壁の開放側を個別に閉じて起立すると、左右の可動部材が左右の入賞空間を閉止し、遊技盤の遊技部から左右の可動部材の間隔における基板の前面に取り込まれた球が左右の入賞空間に取り込まれることなく遊技盤の遊技部に排出され、所定の条件が成立すると、一方の電気的駆動源が駆動して一方の可動部材が一方のガイド壁の側から間隔の側に傾動して当該ガイド壁の開放側を所定時間開放し、他方の可動部材が他方のガイド壁の開放側を閉じて起立している状態において、左右のガイド壁の間隔から一方の可動部材に対応する入賞空間に球が取り込まれることを特徴とする。又、本発明は、前記各入賞空間には、入賞した球を検出する始動検出スイッチを設け、一方の可動部材の傾動中の入賞数を記憶し、この入賞数による記憶数に基づいた数だけ他方の可動部材を繰り返し傾動して他方の入賞空間を繰り返し所定時間開放してもよい。
【０００５】
【作用】
一つの基板に設けた一対の可動部材の何れか一方を駆動して、該可動部材に対応する入賞空間を開放することにより、異る動作が可能な電動役物を構成することができ、コンパクトで入賞効率の良い電動入賞装置を提供する。
【０００６】
【実施例】
以下、本発明を図示の一実施例について説明すると、図１は本発明に係る電動入賞装置を配設した遊技盤の正面図である。
【０００７】
本発明に係る電動入賞装置１は、図１ないし図３に示すように、遊技盤２に取り付けるための基板３に、左右一対のガイド壁４，４と、一対の可動部材５，５と、該可動部材５と前記ガイド壁４との間に形成した一対の入賞空間６，６と、前記可動部材５に各々対応する電気的駆動源７、例えばソレノイドを備えている。尚、図２では、一方のソレノイドの図示を省略している。また、可動部材５とソレノイドとはリンク機構８を介して連絡してある。更に、各図において、ガイド壁４等の前面を覆う前飾り板を省略している。
【０００８】
上記電動入賞装置１の基板３の前面側には、左右一対のガイド壁４，４を突設する。このガイド壁４は、後述する入賞空間６の上方及び側方並びに下方を覆うように形成されている。そして、左右のガイド壁４は、適宜な間隔をおいて開放側が対向している。
【０００９】
上記ガイド壁４の開口側には、リンク機構８を介して電気的駆動源７としてのソレノイドと連絡した可動部材５を臨ませる。この可動部材５は、図示の実施例によれば、下端側を支軸９により回動自在に軸着されている。また、この可動部材５の上端面１０は、対向間隔内に向く下り傾斜が設けてある。そして、起立状態にある可動部材５の上端は、ガイド壁４の上縁に臨んでいる。従って、可動部材５が起立状態にあるとき、入賞空間６は可動部材５及びガイド壁４によって囲繞されることになるので、遊技部１１を流下する打球が入賞空間６へ飛入することはできない。
【００１０】
一方、何れか一方のソレノイドを駆動すると、可動部材５が傾動してガイド壁４の対向側を開放する。この開放状態では、可動部材５の案内面１２によって、遊技部１１を流下する球が入賞空間６に取り込まれる。
【００１１】
尚、図示の実施例では、可動部材５の長さを、傾動状態のときに中心線を若干越える程度に設定すると共に、駆動源７を同時に駆動しないように設定してあるので、両可動部材５が同時に傾動することができない。また、可動部材５の長さを、一方が傾動し、他方が起立している状態で、傾動した可動部材５の先端と、起立した可動部材５の側面との間隔を、球が通過できない間隔とすれば、両ガイド壁４の間をフルに入賞領域とすることができるし、反対に、上記両可動部材５の間隔を球が落下する間隔に設定すれば、可動部材５が届く範囲が入賞領域となる。図３においては、可動部材５ｂの案内面１２の延長ｌは可動部材５ａの上端面１０の下端より下方に位置し、可動部材５ａ，５ｂの間隔はほゞ球１個分の長さを有しているので、勢いよく流れ込む球は前記間隔を通り越して入賞空間６ｂに入賞する可能性が大きくなる。よって、出玉の調整が可能である。
【００１２】
更に、図示の実施例では、基板３の左右に表示装置が設けてある。この表示装置は、３桁のデジタル表示器からなる普通図柄表示装置１３，１４及び４ヶのＬＥＤ表示器からなる始動記憶表示灯１５，１６を構成している。これらの普通図柄表示装置１３，１４及び始動記憶表示灯１５，１６の機能は後述する。
【００１３】
次に、上記のような構成の電動入賞装置１を配置したパチンコ機及びそのゲームについて簡単に説明する。
【００１４】
パチンコ機に設ける遊技盤２の表面には、ほゞ円形にガイドレール１７を配設して遊技部１１を形成する。そして、この遊技部１１の中央部に上から、普通図柄表示装置として機能する可変表示装置１８、普通図柄表示装置作動ゲート１９、電動チューリップ２０、電動入賞装置１を配置する。また、上記中央配列の左右には風車２１、入賞ゲート２２、入賞具２３を配置し、更に外側には表示ランプ２４を配置する。そして、遊技部１１の最下位置にはアウト口２５を配設して左右対称な遊技部１１を形成する。
【００１５】
可変表示装置１８は、どのような構成でもよいが、この実施例では、ＬＥＤからなるドッドマトリクス表示器で構成し、横方向に並べて３桁の図柄が表示可能である。例えば、「０〜９」及び「Ａ〜Ｄ」の１４種類の数字及び英字図柄が変動表示されるようになっている。そして、全ての図柄の停止時の組合せが、ゾロ目の組合せであるときに、「当り」と判定されて電動チューリップ２０が６秒間開放される。また、この可変表示装置１８は、ＬＥＤからなる始動記憶表示灯２６を備えている。更に、この可変表示装置１８は後述するレベルメータ２７を備えており、該レベルメータ２７は列設したＬＥＤにより構成してある。一方、普通図柄表示装置１３，１４は、各々横方向に３個の図柄が表示可能であり、例えば「０〜９」の数字が変動表示されるようになっている。そして、全ての図柄の停止時の組合せが、「０００」を除く組合せであるときに、「当り」と判定されて可動部材５を６秒間開放する。
【００１６】
普通図柄表示装置作動ゲート１９は球の通過を検知する図柄始動スイッチ（図示せず）を備え、該図柄始動スイッチがオンすると、上記普通図柄表示装置としての可変表示装置１８が変動表示を開始する。そして、図柄が変動表示を開始してから約６秒以上経過すると、左図柄、中図柄、右図柄の順で変動が停止する。
【００１７】
レベルメータ２７は、図柄始動スイッチがオンすると当該レベルメータ２７が上方に移動点灯し、可変表示装置１８における当り確率の目安を遊技者に報知して、遊技者に期待感を与え、ゲ−ム性を高めるためのものである。即ち、レベルメータ２７が上段で停止したときは、当りの確率が極めて高く、中段で停止したときは、当り確率が中位で、下段で停止したときは、当り確率が低い状態を示して、遊技者の期待感を高める。尚、上記レベルメータ２７は、３色ＬＥＤにより構成され、下部は緑色、中央部は黄色、上部は赤色等に点灯するようになっている。
【００１８】
一方、レベルメータ２７は、図柄始動スイッチがオンして、可変表示装置１８の左図柄が停止したときに、レベルメータ２７を所定の位置で停止表示し、上段で停止したときは、図柄停止までの時間を延長する所謂ロングリーチに設定して期待感を更に高揚させ、中段で停止したときは図柄の停止を滑りリーチとし、下段で停止したときは直ぐに停止させることもでき、変化に富んだ設定が可能である。
【００１９】
そして、停止した図柄の組合せにより、電動チューリップ２０が約６秒間開放する。即ち、停止した図柄の組合せが当りの場合には、インターバル時間（例えば１０秒）が経過した後、電動チューリップ２０を例えば６秒間開放するのである。
【００２０】
上記普通図柄表示装置における当りと外れは、打球が普通図柄表示装置作動ゲート１９を通過した際に決定される。例えば、「０」ないし「１３」に変化する当り決定用乱数▲１▼を用意し、この乱数▲１▼を電源の投入から約４ｍ秒毎及びプログラムの残り時間に「１」づつ加算して更新する。また、「０」ないし「２」に変化する当り数値選択乱数を用意し、当り決定用乱数▲１▼が一巡する毎に「１」づつ加算する。更に、「０」ないし「１３」に変化する当り決定用乱数▲２▼を用意し、当り決定用乱数▲１▼が一巡する毎に「１」づつ加算する。
【００２１】
一方、左図柄用乱数は、プログラムの残り時間に「１」づつ加算する。中図柄用乱数は、電源投入時より約４ｍ秒毎及びプログラムの残り時間に「１」づつ加算する。
【００２２】
打球が普通図柄表示装置作動ゲート１９を通過すると、普通図柄表示装置の図柄が変動表示を開始し、一定時間後に停止する。当りの決定は、打球が普通図柄表示装置作動ゲート１９を通過した時点での、当り決定用乱数▲１▼▲２▼の数値を記憶し、図柄が変動表示を開始してから約５秒とランダム時間▲１▼（図柄が変動表示を開始した時点での左図柄用乱数「０〜１３」と、同時点での普通図柄表示装置当り決定用乱数「０〜９９」を合計した数値「０〜１１２」に対応した時間０〜約４６０ミリ秒を合計した時間が経過したときに、当り数値と比較して、当りまたは外れの決定をする。
【００２３】
上記普通図柄表示装置が変動中に、普通図柄表示装置作動ゲート１９への入賞があった場合、この入賞を記憶して始動記憶表示灯２６により遊技者に可視表示すると共に、記憶となる通過があった時点の決定用乱数▲１▼▲２▼の数値を夫々最高４個迄、順次記憶する。
【００２４】
上記のようにして開放した電動チューリップ２０に球が入賞すると、電動入賞装置１の基板３に並設した第２の普通図柄表示装置１３の図柄が変動を開始し、約５秒後に図柄の変動が停止する。このとき表示する図柄が「０００」以外の場合には、電動入賞装置１の第１の可動部材５ａが約６秒間開放する。尚、この開放は、後述する第２の可動部材５ｂの開放動作を含めて５回行われる。
【００２５】
電動チューリップ２０への入賞記憶は最高４個迄で、電動入賞装置１の基板３に設けた始動記憶表示灯１５に記憶される。そして、この始動記憶に基づいて図柄の変動停止後または第１の可動部材５ａの動作終了後、再び第２の普通図柄表示装置１３における図柄の変動表示を開始する。
【００２６】
第１の可動部材５が開放中に、球が第１の入賞空間６ａに入賞し、始動検出スイッチ２８が作動すると、第３の普通図柄表示装置１４が図柄の変動表示を開始し、約５秒後に停止する。このときの図柄が「０００」以外の図柄のときは、第２の可動部材５ｂを約６秒間可動させて、第２の入賞空間６ｂを開放する。上記第１の入賞空間６ａに対する入賞記憶は最高４個迄で、電動入賞装置１の基板３に設けた始動記憶表示灯１６に記憶される。そして、この始動記憶に基づいて図柄の変動停止後または第１の可動部材５ａの動作終了後、再び第２の普通図柄表示装置１４における図柄の変動表示を開始する。第２の入賞空間６ｂへ入球した球は、球検出スイッチ２９に作用して所定数の賞球を排出する。
【００２７】
図４は、上記の関係を示すタイムチャートであって、第３の普通図柄表示装置１４の図柄始動記憶がある場合には、図柄の変動及びその結果による可動部材５ｂの開放を繰り返すと共に、第２の普通図柄表示装置１３の図柄始動記憶がある場合には、第１の可動部材５ａ及びその結果による、第２の可動部材５ｂの開放を繰り返す。
【００２８】
上記のような電動入賞装置１を配設したパチンコ機によれば、遊技盤２の盤面を左右対称に構成できるので、打球を遊技部１１のほゞ中央に集めれば、縦方向に配設した普通図柄表示装置始動ゲート１９、電動チューリップ２０、一対の普通電動役物として機能する電動入賞装置１等に入賞可能であるので、遊技者は打球の狙いを定め易い。一方、遊技盤２の盤面が左右対称であるので、釘の配置設計や穴明け工程等の簡略化が可能であって、製造上のメリットも大きい。
【００２９】
図５は、本発明に係る電動入賞装置１の他の実施例を示す正面図であって、この実施例では、一対の可動部材５ａ，５ｂを設けた基板３の中央、即ちガイド壁４，４の間に、普通図柄表示装置３０及び始動記憶表示灯３１を設けたものである。
【００３０】
そして、例えば、前記実施例と同様にして第１の入賞空間６ａへ入球した入賞球の記憶数に基づいた数だけ他方の入賞空間６ｂを繰り返し所定時間開放するように設定する。
【００３１】
この実施例によれば、より一層コンパクトな電動入賞装置１の提供が可能になるばかりではなく、遊技者の注意をより集中させて、興趣の高い遊技が可能になる。
【００３２】
以上本発明を図面の実施例について説明したが、本発明は上記した各実施例に限定されるものではなく、特許請求の範囲に記載した構成を変更しない限り適宜に実施できる。例えば、ガイド壁や可動部材の形状はどのような構造であってもよい。また、図示の実施例では、左右の可動部材を関連させて駆動しているが、独立して駆動するようにしてもよい。
【００３３】
以上要するに本発明は、左右の可動部材が左右のガイド壁の開放側を個別に閉じて起立すると、遊技盤の遊技部から左右の可動部材の間隔における基板の前面に取り込まれた球が左右の入賞空間に取り込まれることなく遊技盤の遊技部に排出され、一方の可動部材が一方のガイド壁の側から間隔の側に傾動して当該ガイド壁の開放側を開放し、他方の可動部材が他方のガイド壁の開放側を閉じて起立している状態において、左右のガイド壁の間隔から一方の可動部材に対応する入賞空間に球が取り込まれるので、一つの基板上に作動の異る複数の電動役物を構成することができ、コンパクト且つ左右対称に形成することができる。また、打球の方向を一ヶ所に絞り込むことができ、無駄球が無くなり、入賞効率の良いパチンコ機を提供することができる。
【図面の簡単な説明】
【図１】本発明に係る電動入賞装置を配設した遊技盤の正面図である。
【図２】第１の可動部材が傾動すると共に第２の可動部材が起立した状態を示す電動入賞装置の要部正面図である。
【図３】第１の可動部材が起立すると共に第２の可動部材が傾動した状態を示す電動入賞装置の要部正面図である。
【図４】タイムチャートである。
【図５】本発明に係る電動入賞装置の他の実施例の正面図である。
【符号の説明】
１  電動入賞装置
２  遊技盤
３  基板
４  ガイド壁
５  可動部材
６  入賞空間
７  電気的駆動源
【図１】
0003549223.tif 000002
【図２】
0003549223.tif 000003
【図３】
0003549223.tif 000004
【図４】
0003549223.tif 000005
【図５】
0003549223.tif 000006